(57)【要約】      （修正有）【課題】バッグ主体の前面から補助バッグが飛び出して嵩張ることがなく、持ち運んだり、保管したりするときに、何かの物などにぶつかったりして破損することが少なく、しかも補助バッグを強度に優れたものにしたバッグを提供する。【解決手段】箱形のバッグ主体１の前面部１ａに開口２を設け、この開口２に開閉自在として取り付けた前蓋パネル３をバッグ主体１から着脱自在とし、バッグ主体１の内部には、開口２から出し入れ自在とした補助バッグが収納されており、バッグ主体１から取り外した前蓋パネル３を、バッグ主体１から取り出した補助バッグの前面部に着脱自在としている。【選択図】図２
0003226368.tif 000002
【実用新案登録請求の範囲】
【請求項１】
箱形のバッグ主体の前面部に開口を設け、この開口に開閉自在として取り付けた前蓋パネルを前記バッグ主体から着脱自在とし、前記バッグ主体の内部には、開口から出し入れ自在とした補助バッグが収納されており、前記バッグ主体から取り外した前蓋パネルを、前記バッグ主体から取り出した補助バッグの前面部に着脱自在としていることを特徴とするバッグ。
【請求項２】
前記前蓋パネルは、硬質の合成樹脂板で形成されており、前記補助バッグは、合成樹脂地で形成された前面部、硬質の合成樹脂板で形成された後面部、合成樹脂地で形成された左右の側面部、および合成樹脂地で形成された上下面部からなる横長の略直方体の箱形としていることを特徴とする請求項１に記載のバッグ。
【請求項３】
前記バッグ主体と前蓋パネルとは、オープンファスナーを介し、前蓋パネルと補助バッグとは、オープンファスナーを介して、それぞれ着脱自在としていることを特徴とする請求項１または２に記載のバッグ。
【請求項４】
前記バッグ主体の開口部の周囲には、オープンファスナーの片側のファスナーエレメントが設けられ、前蓋パネルの周囲には、オープンファスナーのもう片側のファスナーエレメントが設けられ、前記前蓋パネルのファスナーエレメントの内周には、オープンファスナーの片側のファスナーエレメントが設けられ、補助バッグの前面部の周囲には、オープンファスナーのもう片側のファスナーエレメントが設けられていることを特徴とする請求項３に記載のバッグ。
【考案の詳細な説明】
【技術分野】
【０００１】
本考案は、旅行時や出張時などにおいて、スーツケースやキャリーバッグなどとして使用されるのに適したバッグに関するものである。
【背景技術】
【０００２】
従来、この種のバッグとしては、スーツケースなどとした主バッグ体とアタッシュケースなどとした副バッグ体とを備えており、副バッグ体を主バッグ体の正面部にオープンファスナーを介して着脱自在に接続したものが存在する（特許文献１）。
【０００３】
したがって、このようにしたバッグは、副バッグ体が主バッグ体の一部を構成しているように一体化していて外観のデザインに統一性があるとしている。
【０００４】
そして、このようにしたバッグは、主バッグ体と副バッグ体を接続しているオープンファスナーを全開すると、副バッグ体は主バッグ体から分離して、それぞれを単独で使用できるという利便性があるとしている。
【０００５】
さらに、この種のバッグとしては、略直方体の主収納部と、この主収納部の厚さ方向の一方（正面部）に配置される略直方体の副収納部とを備えており、主収納部と副収納部とを隔てる境界部に、主収納部および副収納部を連通可能に仕切るファスナー部を有した面部を備えたスーツケースが存在する（特許文献２）。
【０００６】
したがって、このようにしたバッグは、主収納部および副収納部どちらか一方を開口して物品を出し入れする場合、主収納部および副収納部は、両方の収納部が面部を隔て連通可能に構成されているため、どちらか一方のみを開口して物品を出し入れする動作を行なうだけで、両方の収納部どちらからでも物品の出し入れができるとしている。
【０００７】
そして、その結果、使用者が急ぎの用事で主収納部および副収納部から物品をすぐに取り出したい場合、主収納部または副収納部のどちらに物品を収納したか忘れてしまったとしても、主収納部を開口して物品を取り出し、次に副収納部を開口して別の物品を取り出すという手間が無くなり、煩雑な作業を省いて、快適に物品の取り出しが可能となるとしている。
【先行技術文献】
【特許文献】
【０００８】
【特許文献１】特開２００２−１７４１７号公報
【特許文献２】実用新案登録第３１８１４７０号公報
【考案の概要】
【考案が解決しようとする課題】
【０００９】
旅行時や出張時などにおいては、スーツケースやキャリーバッグなどの大型バッグと共に、アッタシュケースやブリーフケースなどの小型の補助バッグを併用することが多い。しかし、大型バッグと小型のバッグが別々になっていると、持ち運んだり、保管したりするのに不便であったりすることがある。
【００１０】
そのため、特許文献１に記載されたスーツケースのように、スーツケースなどとした主バッグ体とアタッシュケースなどとした副バッグ体とを接続したものとし、持ち運んだり、保管したりするのに便利なようにしていた。
【００１１】
しかしながら、特許文献１に記載されたスーツケースでは、主バッグ体に接続した副バッグ体が、主バッグ体の正面部から大きく突き出しているので、持ち運んだり、保管したりするのに、この副バッグ体が邪魔になったり、この大きく突き出した副バッグ体が何かの物などにぶつかったりして、破損してしまったりするという課題を有していた。
【００１２】
また、特許文献２に記載されたバッグでは、主収納部の正面部に副収納部を備えているが、この副収納部は、主収納部から取り外すことができず、この副収納部を主収納部と別体とした補助バッグとして使用することができない。
【００１３】
しかも、特許文献２に記載されたバッグでは、主収納部に備えている副収納部が、主収納部の正面部から大きく突き出しているので、持ち運んだり、保管したりするのに、この副バッグ体が邪魔になったり、この大きく突き出した副収納部が何かの物などにぶつかったりして、破損してしまったりするという課題も有していた。
【００１４】
そこで、本考案は、上記従来の課題を解決するものであり、バッグ主体の前面から補助バッグが飛び出して嵩張ることがなく、持ち運んだり、保管したりするときに、何かの物などにぶつかったりして破損したりすることが少なく、しかも補助バッグを強度に優れたものにしたバッグを提供することを目的としてなされたものである。
【課題を解決するための手段】
【００１５】
そのため、本考案のバッグは、箱形のバッグ主体の前面部に開口を設け、この開口に開閉自在として取り付けた前蓋パネルを前記バッグ主体から着脱自在としている。前記バッグ主体の内部には、開口から出し入れ自在とした補助バッグが収納されている。前記バッグ主体から取り外した前蓋パネルは、前記バッグ主体から取り出した補助バッグの前面部に着脱自在としている。
【００１６】
本考案のバッグにおいて、前記前蓋パネルは、硬質の合成樹脂板で形成されている。前記補助バッグは、合成樹脂地で形成された前面部、硬質の合成樹脂板で形成された後面部、合成樹脂地で形成された左右の側面部、および合成樹脂地で形成された上下面部からなる横長の略直方体の箱形としている。
【００１７】
本考案のバッグにおいて、前記バッグ主体と前蓋パネルとは、オープンファスナーを介し、前蓋パネルと補助バッグとは、オープンファスナーを介して、それぞれ着脱自在としている。
【００１８】
本考案のバッグにおいて、前記バッグ主体の開口部の周囲には、オープンファスナーの片側のファスナーエレメントが設けられ、前蓋パネルの周囲には、オープンファスナーのもう片側のファスナーエレメントが設けられている。前記前蓋パネルのファスナーエレメントの内周には、オープンファスナーの片側のファスナーエレメントが設けられ、補助バッグの前面部の周囲には、オープンファスナーのもう片側のファスナーエレメントが設けられている。
【考案の効果】
【００１９】
本考案のバッグは、以上に述べたような構成としているので、バッグ主体の前面部から補助バッグが飛び出して嵩張ることがなく、持ち運んだり保管したりするときに、何かの物などにぶつかったりして、破損したりすることが少ないものとなる。
【００２０】
さらに、本考案のバッグは、バッグ主体の前面部の前蓋パネルが何かの物などにぶつかったりして破損したり、経年の使用によって汚れたりしたとしても、この前蓋パネルのみを新しいものに取り替えれば、継続して使用することができる。そしてこの場合、前蓋パネルの色やデザインを以前とは異なったものにすれば、新しい製品のようになり、使用者の気分が一新でき、長く使用することができるものとなる。
【００２１】
また、本考案のバッグは、バッグ主体が硬質の合成樹脂板で形成されると共に、補助バッグの前後面は硬質の合成樹脂板で形成されているので、バッグ主体と共に補助バッグも強度に優れたものになり、旅行時や出張時に手荒に扱っても破損することが少ないものとなる。
【図面の簡単な説明】
【００２２】
【図１】本考案のバッグの外観を示す斜視図である。
【図２】本考案のバッグをバッグ主体から前蓋パネルを取り外し、バッグ主体から補助バッグを取り出した状態を示す斜視図である。
【図３】図２中のバッグ主体と前蓋パネルを向かい合わせた一部分の拡大図である。
【図４】前蓋パネルと補助バッグを内側どうしで向かい合わせた状態の斜視図である。
【図５】図４中の前蓋パネルと補助バッグを向かい合わせた一部分の拡大図である。
【図６】前蓋パネルを補助バッグに装着した状態を示す斜視図である。
【考案を実施するための形態】
【００２３】
以下、本考案のバッグを実施するための形態を、図面に基づいて詳細に説明する。
【００２４】
本考案のバッグは、図１、２に示したように、箱形のバッグ主体１の前面部１ａに開口２を設け、この開口２に開閉自在として取り付けた前蓋パネル３を前記バッグ主体１から着脱自在としている。前記バッグ主体１の内部には、開口２から出し入れ自在とした補助バッグ４が収納されている（図２は、バッグ主体１の内部から補助バッグ４を取り出した状態を示している）。そして、前記バッグ主体１から取り外した前蓋パネル３は、前記バッグ主体１から取り出した補助バッグ４の前面部４ａに着脱自在としている。
【００２５】
前記バッグ主体１は、図１に示したように、前面部１ａ、後面部１ｂ、左右の側面部１ｃ、１ｄ、および上下面部１ｅ、１ｆがそれぞれ硬質の合成樹脂板で形成された縦長の略直方体の箱形としている。このバッグ主体１の前面部１ａには、縦長の略長方形の開口２が設けられている。後面部１ｂには、必要に応じて、伸縮自在としたキャリー用の引手（図示せず）が設けられている。左の側面部１ｃには、必要に応じて、バッグ主体１を地面などに安定した状態で設置しておくための設置ブロック（図示せず）が設けられている。右の側面部１ｄには、後に述べるバッグ主体１と前蓋パネル３とのオープンファスナー１４のスライダー１７ａ、１７ｂの止着具６が設けられ、さらにバッグ主体１の手提げ用のハンドル７が設けられている。上面部１ｅには、バッグ主体１の手提げ用のハンドル８が設けられている。下面部１ｆには、キャリー用のキャスター９が設けられている。
【００２６】
なお、前記開口２には、この開口２を閉じるためのカバー体１１を設けたものとしてもよい。この場合、前記カバー体１１の周囲には、このカバー体１１を開いてバッグ主体１内部と連通するための開閉ファスナー１２を設けており、必要に応じて、カバー体１１の表面には、小物を収納するためのポケット１３を設けたものとすることができる。
【００２７】
前記前蓋パネル３は、硬質の合成樹脂板で形成されており、この合成樹脂板の内側には、必要に応じて、小物などを収納するためのポケット３１が設けられている。
【００２８】
前記補助バッグ４は、合成樹脂地で形成された前面部４ａ、硬質の合成樹脂板で形成された後面部４ｂ、合成樹脂地で形成された左右の側面部４ｃ、４ｄ、および合成樹脂地で形成された上下面部４ｅ、４ｆからなる横長の略直方体の箱形としている。そして、この補助バッグ４は、前記バッグ主体１の開口２から出し入れできる大きさに形成している。さらに、前記補助バッグ４は、上面部４ｅの略中央部に持手４１を設けており、上面部４ｅから左右の側面部４ｃ、４ｄにかけて、開閉ファスナー４２付きの開口を設けており、この開閉ファスナー４２の開閉によって、収納物の出し入れができるようにしている。なお、前記補助バッグ４の前面部４ａは、合成樹脂地で形成することなく、開口したものとしてもよい。
【００２９】
そして、本考案のバッグは、前記バッグ主体１と前蓋パネル３とは、オープンファスナー１４を介し、前蓋パネル３と補助バッグ４とは、オープンファスナー１５を介して、それぞれ着脱自在としている。
【００３０】
すなわち、前記バッグ主体１の開口部２の周囲には、オープンファスナー１４の片側のファスナーエレメント１４ａが設けられ、前蓋パネル３の周囲には、オープンファスナー１４のもう片側のファスナーエレメント１４ｂが設けられている。
【００３１】
さらに、前記前蓋パネル３のファスナーエレメント１４ｂの内周には、オープンファスナー１５の片側のファスナーエレメント１５ａが設けられ、補助バッグ４の前面部４ａの周囲には、オープンファスナー１５のもう片側のファスナーエレメント１５ｂが設けられている。
【００３２】
前記ファスナーエレメント１４ａは、図３に示したように、一端にピンボックス１６ａとスライダー１７ａが取り付けられ、他端にピン１８ａが取り付けられており、これら一端と他端とをオーバラップさせている。前記ファスナーエレメント１４ｂは、図３に示したように、一端に前記ファスナーエレメント１４ａのピンボックス１６ａとスライダー１７ａに対向して、ピン１８ｂが取り付けられ、他端に前記ファスナーエレメント１４ａのピン１８ａに対向して、ピンボックス１６ｂとスライダー１７ｂが取り付けられており、これら一端と他端とをオーバラップさせている。そして、前記スライダー１７ａ、１７ｂには、それぞれ引手１９ａ、１９ｂが取り付けられており、前記オープンファスナー１４は、二つの引手１９ａ、１９ｂによって両側から開けたり閉めたりすることができるようにしている。なお、前記ファスナーエレメント１４ａ、１４ｂの一方は、ピンボックスとスライダーに代えて、ストッパー（図示せず）を取り付けることにより、前記オープンファスナー１４は、一つの引手によって片側のみから開けたり閉めたりすることができるようにすることもできる。
【００３３】
前記ファスナーエレメント１５ａは、図５に示したように、一端にピンボックス２０とスライダー２１が取り付けられ、他端にストッパー２２が取り付けられており、これら一端と他端とをオーバラップさせている。前記ファスナーエレメント１５ｂは、図５に示したように、一端に前記ファスナーエレメント１５ａのピンボックス２０とスライダー２１に対向してピン２３が取り付けられ、他端にストッパー２４が取り付けられており、これら一端と他端とをオーバラップさせている。そして、前記スライダー２１には、引手２５が取り付けられており、前記オープンファスナー１５は、この一つの引手によって片側のみから開けたり閉めたりすることができるようにしている。なお、ファスナーエレメント１５ｂは、他端にストッパー２４が取り付けられているが、必要に応じて、前記ストッパー２４に代えてピンボックスとスライダー（図示せず）を取り付け、このスライダーに引手を取り付けることにより、前記オープンファスナー１５は、二つの引手によって両側から開けたり閉めたりすることができるようにすることもできる。
【００３４】
以上のように構成された本考案のバッグは、図２に示したような状態から、バッグ主体１に前蓋パネル３を取り付けたり、この前蓋パネル３を補助バッグ４取り付けた状態にするには、以下に述べるようにして行う。
【００３５】
先ず、前記バッグ主体１に前蓋パネル３を取り付けるには、図３に示した状態のバッグ主体１のファスナーエレメント１４ａのピン１８ａを、前蓋パネル３のファスナーエレメント１４ｂのスライダー１７ｂからピンボックス１６ｂ内にしっかりと差し込む。さらに、ピンボックス１６ｂを押さえたまま引手１９ｂによってスライダー１７ｂを引き上げて、オープンファスナー１４をこのスライダー１７ｂ側から閉めていくと共に、前蓋パネル３のファスナーエレメント１４ｂのピン１８ｂを、バッグ主体１のファスナーエレメント１４ａのスライダー１７ａからピンボックス１６ａ内にしっかりと差し込む。さらに、ピンボックス１６ａを押さえたまま引手１９ａによってスライダー１７ａを引き上げて、オープンファスナー１４をこのスライダー１７ａ側から閉めて行く。このようにすれば、オープンファスナー１４は、これら二つの引手１９ａ、１９ｂによって両側から閉められ、バッグ主体１に前蓋パネル３を取り付けることができる。なお、必要に応じて、閉められたオープンファスナー１４は、他者に無断で開かれないように、図１に示したように、バッグ主体１の側面部１ｄに設けられた止着具６に、前記引手１９ａ、１９ｂを止着して、スライダー１７ａ、１７ｂを動かせないようにしておくことができる。
【００３６】
また、前記バッグ主体１から前蓋パネル３を取り外すには、前記オープンファスナー１４の二つの引手１９ａ、１９ｂを両側に引き戻して行き、バッグ主体１のファスナーエレメント１４ａのスライダー１７ａがピンボックス１６ａに当たるまで開いた状態にして、このピンボックス１６ａから前蓋パネル３のファスナーエレメント１４ｂのピン１８ｂを引き抜く。さらに、前蓋パネル３のファスナーエレメント１４ｂのスライダー１７ｂもピンボックス１６ｂに当たるまで開いた状態にして、このピンボックス１６ｂからバッグ主体１のファスナーエレメント１４ａのピン１８ａを引き抜く。このようにすれば、前記バッグ主体１から前蓋パネル３を取り外すことができる。
【００３７】
次に、前記前蓋パネル３を補助バッグ４に取り付けるには、図５に示した状態のバッグ主体１内から取り出した補助バッグ４のファスナーエレメント１５ｂのピン２３を、前蓋パネル３のファスナーエレメント１５ａのスライダー２１からピンボックス２０内にしっかりと差し込む。さらに、ピンボックス２０を押さえたまま引手２５によってスライダー２１を引き上げていき、このスライダー２１を補助バッグ４のファスナーエレメント１５ｂのストッパー２４に当たるまで移動させる。このようにすれば、オープンファスナー１５は、引手２５によって片側から閉められ、前蓋パネル３を補助バッグ４に取り付けることができる。
【００３８】
また、前記前蓋パネル３を補助バッグ４から取り外すには、前記オープンファスナー１５の引手２５を引き戻して行き、前蓋パネル３のファスナーエレメント１５ａのスライダー２１がピンボックス２０に当たるまで開いた状態にして、このピンボックス２０から補助バッグ４のファスナーエレメント１５ｂのピン２３を引き抜けばよい。
【００３９】
なお、前記前蓋パネル３を補助バッグ４に取り付けるには、図５に示した状態のバッグ主体１内から取り出した補助バッグ４のファスナーエレメント１５ｂのピン２３を、前蓋パネル３のファスナーエレメント１４ｂのスライダー１７ｂからピンボックス１６ｂ内にしっかりと差し込む。さらに、ピンボックス１６ｂを押さえたまま引手１９ｂによってスライダー１７ｂを引き上げていき、このスライダー１７ｂを補助バッグ４のファスナーエレメント１５ｂのストッパー２４に当たるまで移動させる。このようにすれば、オープンファスナー１５は、引手１９ｂによっても片側から閉められ、前蓋パネル３を補助バッグ４に取り付けることができる。したがって、このようにする場合には、前記前蓋パネル３のファスナーエレメント１４ｂの内周に設けられたオープンファスナー１５の片側のファスナーエレメント１５ａは不要となり、このファスナーエレメント１５ａの一端に取り付けられるピンボックス２０とスライダー２１や、他端に取り付けられるストッパー２２も不要となる。
【００４０】
したがって、以上に述べたように構成された本考案のバッグは、バッグ主体１の前面部１ａから補助バッグ４が飛び出して嵩張ることがなく、持ち運んだり、保管したりするときに、何かの物などにぶつかったりして破損したりすることが少ないものとなる。
【００４１】
さらに、本考案のバッグは、バッグ主体１の前面部１ａの前蓋パネル３が何かの物などにぶつかったりして破損したり、経年の使用によって汚れたりしたとしても、この前蓋パネル３のみを新しいものに取り替えれば、継続して使用することができる。そしてこの場合、前蓋パネル３の色やデザインを以前とは異なったものにすれば、新しい製品のようになり、使用者の気分が一新でき、長く使用することができるものとなる。
【００４２】
また、本考案のバッグは、バッグ主体１が硬質の合成樹脂板で形成されると共に、補助バッグ４の前後面は硬質の合成樹脂板で形成されているので、バッグ主体１と共に補助バッグ４も強度に優れたものになり、旅行時や出張時に手荒に扱っても破損したりすることが少ないものとなる。
【符号の説明】
【００４３】
１  バッグ主体
１ａ  前面部
２  開口
３  前面パネル
４  補助バッグ
４ａ  前面部
４ｂ  後面部
４ｃ  側面部
４ｄ  側面部
４ｅ  上面部
４ｆ  下面部
１４  オープンファスナー
１４ａ  ファスナーエレメント
１４ｂ  ファスナーエレメント
１５  オープンファスナー
１５ａ  ファスナーエレメント
１５ｂ  ファスナーエレメント
【図１】
0003226368.tif 000003
【図２】
0003226368.tif 000004
【図３】
0003226368.tif 000005
【図４】
0003226368.tif 000006
【図５】
0003226368.tif 000007
【図６】
0003226368.tif 000008